(57)【要約】【課題】チャフシーブとグレンシーブの傾斜角度の不適切による穀粒中の異物が混入や、二番物への穀粒混入の発生。【解決手段】扱胴７の下方を扱網９により包囲した脱穀室８の下方に送風唐箕１０を設け、送風唐箕１０からの送風と往復揺動により穀粒を選別する揺動選別装置１７を設け、該揺動選別装置１７の揺動選別棚１６の始端部には、扱網９より落下した脱穀物を移送する移送突起１８を有する移送棚部１９を設け、該移送棚部１９に続いて穀粒と異物とを選別するプレシーブ２０を複数並設し、該プレシーブ２０の終端側にはプレシーブ２０と上下幅の相違するチャフシーブ３０を複数並設し、前記各プレシーブ２０および各チャフシーブ３０は連動して傾斜角度変更調節自在に構成し、前記各プレシーブ２０は単独で全閉状態に規制可能に構成した脱穀装置。【選択図】図３
2007244312.tif 000002
【特許請求の範囲】
【請求項１】
扱胴（７）の下方を扱網（９）により包囲した脱穀室（８）の下方に送風唐箕（１０）を設け、該送風唐箕（１０）からの送風と往復揺動により穀粒を選別する揺動選別装置（（１７））を設け、該揺動選別装置（１７）の揺動選別棚（１６）の始端部には、扱網（９）より落下した脱穀物を移送する移送突起（１８）を有する移送棚部（（１９））を設け、該移送棚部（１９）に続いて穀粒と異物とを選別するプレシーブ（（２０））を複数並設し、該プレシーブ（２０）の終端側にはプレシーブ（２０）と上下幅の相違するチャフシーブ（（３０））を複数並設し、前記各プレシーブ（２０）および各チャフシーブ（３０）は連動して傾斜角度変更調節自在に構成し、前記各プレシーブ（２０）は単独で全閉状態に規制可能に構成した脱穀装置。
【請求項２】
請求項１において、前記プレシーブ（２０）はバネ（２６）により「開状態」となるように付勢すると共に、各プレシーブ（２０）が単独で閉状態にするストッパ（４５）を設け、前記バネ（２６）は前記揺動選別棚（１６）の左右何れか一側に設け、前記ストッパ（４５）は前記揺動選別棚（１６）の左右何れか他側に設けた脱穀装置。
【請求項３】
請求項２において、前記ストッパ（４５）は前記プレシーブ（２０）の下方の揺動選別棚（１６）に設けた脱穀装置。
【発明の詳細な説明】
【技術分野】
【０００１】
本発明は、脱穀装置に係るものであり、特に、揺動選別装置に係るものである。
【背景技術】
【０００２】
従来、扱胴の下方を扱網により包囲した脱穀室の下方に送風唐箕を設け、送風唐箕からの送風と往復揺動により穀粒を選別する揺動選別装置を設け、該揺動選別装置の始端部には、扱網より落下した脱穀物を移送する移送突起を有する移送棚部を設け、該移送棚部に続いて異物を除去するチャフシーブを複数並設し、該チャフシーブの終端側にはチャフシーブと上下幅の相違するグレンシーブを複数並設し、前記チャフシーブとグレンシーブは連動して傾斜角度変更自在にした構成は、公知である（特許文献１参照）。
【特許文献１】特開２００５−３３３８９２号公報
【発明の開示】
【発明が解決しようとする課題】
【０００３】
前記公知例では、チャフシーブとグレンシーブは連動して傾斜角度を調節する構成のため、刈取作業条件によっては、穀粒に異物が混入したり、二番物に穀粒が混入することがあるという課題がある。
本願は、揺動選別装置について工夫し、刈取作業条件によって、プレシーブとチャフシーブの角度を調節しつつ、プレシーブの開き具合を規制して、選別精度を向上させたものである。
【課題を解決するための手段】
【０００４】
本発明は、扱胴７の下方を扱網９により包囲した脱穀室８の下方に送風唐箕１０を設け、送風唐箕１０からの送風と往復揺動により穀粒を選別する揺動選別装置１７を設け、該揺動選別装置１７の揺動選別棚１６の始端部には、扱網９より落下した脱穀物を移送する移送突起１８を有する移送棚部１９を設け、該移送棚部１９に続いて穀粒と異物とを選別するプレシーブ２０を複数並設し、該プレシーブ２０の終端側にはプレシーブ２０と上下幅の相違するチャフシーブ３０を複数並設し、前記各プレシーブ２０および各チャフシーブ３０は連動して傾斜角度変更調節自在に構成し、前記各プレシーブ２０は単独で全閉状態に規制可能に構成した脱穀装置としたものであり、一例を示すと、通常は、プレシーブ２０とチャフシーブ３０を連動させて「閉」とし、各プレシーブ２０と各チャフシーブ３０の隙間から異物が落ちるのを抑制して脱穀精度を向上させ、脱穀量が多くなると、プレシーブ２０とチャフシーブ３０を連動させて「開」方向とし、各プレシーブ２０と各チャフシーブ３０の隙間を大きくして落下量を増加させて選別の負荷を減少させて脱穀効率を向上させ、更に、脱穀量が多くなると、各プレシーブ２０をチャフシーブ３０に対して独立して全閉状態に規制するので、揺動選別棚１６の始端側における異物の落下を抑制して脱穀精度を向上させつつ、チャフシーブ３０を開いて落下量を増加させて選別の負荷を減少させて脱穀効率を向上させる。
本発明は、前記プレシーブ２０はバネ２６により「開状態」となるように付勢すると共に、各プレシーブ２０が単独で閉状態にするストッパ４５を設け、前記バネ２６は前記揺動選別棚１６の左右何れか一側に設け、前記ストッパ４５は前記揺動選別棚１６の左右何れか他側に設けた脱穀装置としたものであり、チャフシーブ３０はバネ３６により常時「開」方向に付勢され、操作伝達用ワイヤ３７を牽引すると、アーム３５を回動させ、アーム３５はチャフ連動板３４を前方移動させて各チャフシーブ３０を「閉」方向に回動させる。
反対に、操作伝達用ワイヤ３７を緩めると、バネ３６の弾力でアーム３５とチャフ連動板３４は後方移動して各チャフシーブ３０を「開」方向に回動させる。
一方、プレシーブ２０はバネ２６により常時「開」方向に付勢され、操作伝達用ワイヤ３７を牽引してチャフ連動板３４を前方移動させると、チャフ連動板３４の当接板４１がプレシーブ連動板２５の傾斜部５９に当たって前方に押し、各プレシーブ２０はチャフシーブ３０と連動して「閉」方向に回動する。
そして、プレシーブストッパ４５によりプレシーブ連動板２５の下降を規制すると、プレシーブ２０は単独で全閉状態に規制される。
本発明は、前記ストッパ４５は前記プレシーブ２０の下方の揺動選別棚１６に設けた脱穀装置としたものであり、各プレシーブ２０は軸２１を中心として下方回動すると開き、各プレシーブ２０はプレシーブ連動板２５の下降により連動して開くから、プレシーブストッパ４５によりプレシーブ連動板２５の下降を規制すると、プレシーブ２０の「開き」を規制する。
【発明の効果】
【０００５】
請求項１の発明では、各プレシーブ２０および各チャフシーブ３０は連動して傾斜角度変更自在であるから、調節が容易であり、操作性を向上させ、ひいては、作業効率を向上させることができ、また、各プレシーブ２０は独立して全閉状態に規制可能なため、刈取作業条件によって、プレシーブ２０の開き具合を規制して、選別精度および効率を向上させることができる。
請求項２の発明では、プレシーブ２０とチャフシーブ３０の連動および独立調節機構を簡素に構成することができる。
請求項３の発明では、プレシーブストッパ４５は、バネ２６とは反対側の揺動選別棚１６の側面のプレシーブ２０の下方に設けているため、狭いスペースを有効に活用できる。
【発明を実施するための最良の形態】
【０００６】
本発明の実施例をコンバインの図面により説明すると、１はコンバインの機体フレーム、２は機体フレーム１の下方に設けた走行装置、３は機体フレーム１の上方に設けた脱穀装置、４は脱穀装置３の前側に設けた刈取部、５は脱穀装置３の側部に設けたグレンタンク、６はグレンタンク５の前側に設けた操縦部である。
前記脱穀装置３の上部には扱胴７を軸装した脱穀室８を設け、扱胴７の主として下方側は扱網９により包囲し、扱網９の下方には送風唐箕１０の唐箕ケーシング１１を設け、送風唐箕１０は扱胴７の軸心方向終端側（後側）に向けて送風する。即ち、脱穀室８に穀稈を供給する穀稈供給装置１２の穀稈搬送方向を前から後へとし、送風唐箕１０の送風は後側に向けて送風することになる。
【０００７】
前記脱穀室８の下方から後方にかけては前記送風唐箕１０の送風と揺動により穀粒と異物とを風選し得る風選室１５を形成し、風選室１５内には、送風唐箕１０の送風方向に往復揺動する揺動選別棚１６により構成した揺動選別装置１７を設ける。
揺動選別装置１７は、その始端部を唐箕ケーシング１１の上方に位置させ、唐箕ケーシング１１の上方の揺動選別棚１６の始端部は移送突起１８を揺動方向に並設した移送棚部１９に形成する。
しかして、前記移送棚部１９の終端側の揺動選別棚１６には穀粒と異物とを選別するプレシーブ２０を設ける。プレシーブ２０は揺動方向に複数並設し、各プレシーブ２０は傾斜角度を変更自在に構成する。傾斜角度を変更する構成は任意であるが、一例を示すと、各プレシーブ２０の上部を軸２１により揺動選別棚１６のプレシーブ取付部２２に回動自在に取付け、各プレシーブ２０の下部には夫々横軸２３を設け、各横軸２３は揺動選別棚１６に設けた長孔２４に挿通し、各横軸２３の端部はプレシーブ連動板２５に取付ける。
【０００８】
プレシーブ連動板２５にはバネ２６の一端を係止し、バネ２６の他端は揺動選別棚１６に係止する。バネ２６はプレシーブ２０を常時「開く」方向に回動するように付勢する。
プレシーブ２０の終端側の揺動選別棚１６にはプレシーブ２０と上下幅の相違するチャフシーブ３０を設ける。チャフシーブ３０は揺動方向に複数並設し、各チャフシーブ３０はプレシーブ２０とは別個に独立して傾斜角度を変更自在に構成する。
チャフシーブ３０の傾斜角度を変更する構成は任意であるが、一例を示すと、各チャフシーブ３０の上部を軸３１により揺動選別棚１６に回動自在に取付け、各チャフシーブ３０の下部には夫々横軸３２を設け、各横軸３２は揺動選別棚１６に設けた長孔３３に挿通し、各横軸３２の端部はチャフ連動板３４に取付ける。チャフ連動板３４には該チャフ連動板３４を前後に移動させるアーム３５を取付け、アーム３５にはバネ３６の一端を係止し、バネ３６の他端は揺動選別棚１６に係止する。バネ３６はチャフシーブ３０を常時「開く」方向に回動するように付勢する。アームアーム３５には操作伝達用ワイヤ３７の一端を取付け、操作伝達用ワイヤ３７の他端は手動操作部（図示省略）あるいはモータ（図示省略）に接続する。
【０００９】
また、チャフ連動板３４の前側には平面視Ｌ型形状の当接板４１を設け、当接板４１はプレシーブ２０のプレシーブ連動板２５に当接させる。
したがって、チャフシーブ３０は、操作伝達用ワイヤ３７を緩めると、バネ３６の弾力でチャフ連動板３４を後方移動させ、チャフ連動板３４の後方移動により、チャフ連動板３４の当接板４１がプレシーブ連動板２５から離れると、プレシーブ連動板２５はバネ２６の弾力によりチャフ連動板３４と共に後方移動し、チャフシーブ３０およびプレシーブ２０が夫々開く。
反対に、操作伝達用ワイヤ３７を牽引すると、チャフ連動板３４はバネ３６の弾力に抗して前方移動し、チャフ連動板３４の前方移動により、チャフ連動板３４の当接板４１がプレシーブ連動板２５を押し、プレシーブ連動板２５はバネ２６の弾力に抗して押されて前方移動し、チャフシーブ３０およびプレシーブ２０が夫々閉じ、一本の操作伝達用ワイヤ３７によりプレシーブ２０およびチャフシーブ３０の開閉調節が可能となる。
【００１０】
前記プレシーブ２０のバネ２６は揺動選別棚１６の一側面に取付け（図３）、揺動選別棚１６の他側面に前記操作伝達用ワイヤ３７を取付けるワイヤホルダ４４を設け（図４）、ワイヤホルダ４４はプレシーブ連動板２５の下方に位置させ、ワイヤホルダ４４に前記プレシーブ２０を全閉状態で規制可能なストッパ（プレシーブストッパ）４５を設ける。
したがって、プレシーブ２０とチャフシーブ３０とを連動させて回動可能な構成でありながら、プレシーブ２０のみ全閉状態にプレシーブストッパ４５により規制できるので、より精度の高い刈取作業条件に調整可能となる。
即ち、チャフシーブ３０の当接板４１は、プレシーブ２０を閉じる方向のときに作用するから、プレシーブストッパ４５がプレシーブ２０を全閉状態にしていれば、チャフシーブ３０の当接板４１とプレシーブ連動板２５との干渉は発生しない。
この場合、前記プレシーブストッパ４５は、バネ２６（図５）とは反対側の揺動選別棚１６の側面のプレシーブ２０の下方に設けると（図４）、狭いスペースを有効に活用できて、好適である。
【００１１】
また、プレシーブストッパ４５は、ワイヤホルダ４４と一体で揺動選別棚１６に着脱自在に取付けると（図９）、狭いスペースを有効に活用できるばかりでなく、取付も容易であり、また、着脱自在にしたので、メンテナンス性も良好になる。
このワイヤホルダ４４とプレシーブストッパ４５は、揺動選別棚１６の側板４７の上下幅内に納まる形状・大きさに形成すると（図４）、揺動選別棚１６のサイドシルエット内に納めることができ、他の部材との干渉することもなく、コンパクトに構成できる。
しかして、ワイヤホルダ４４とプレシーブストッパ４５に対応する脱穀装置３の脱穀側板５０には、開口部５１を形成し、開口部５１には蓋５２を着脱自在に取付け、蓋５２を外すと開口部５１からプレシーブストッパ４５の操作ができるので、プレシーブストッパ４５の切替操作を頗る容易にする（図２、図７）。
【００１２】
また、前記操作伝達用ワイヤ３７を前記揺動選別棚１６の一側のチャフ連動板３４の前方に設け（図４）、揺動選別棚１６の他側に前記プレシーブ２０のバネ２６を設け（図５）、該バネ２６を設けた反対側の揺動選別棚１６の側板４７には前記プレシーブ２０を全閉状態で規制可能な前記プレシーブストッパ４５を設ける（図７）。
そのため、バネ２６とプレシーブストッパ４５を揺動選別棚１６の両側面に夫々設けたので、互いに干渉せず、作動を確実にでき、混雑がないすっきりとした構成となる。
プレシーブストッパ４５の構成は任意であるが、一例を示すと、プレシーブストッパ４５は板バネ部材により上部を略水平の当接板部５５に形成し、当接板部５５の下方に縦板部５６を形成し、縦板部５６には長孔５７を形成し、長孔５７にボルト等の固定具５８を挿通してワイヤホルダ４４に上下自在に固定する（図８）。プレシーブ連動板２５の下部は正面視下方に至るに従い外側に位置するように傾斜させて傾斜部５９に形成し、傾斜部５９にプレシーブストッパ４５の当接板部５５を当接させる。
【００１３】
プレシーブストッパ４５は、プレシーブストッパ４５の当接板部５５をプレシーブ連動板２５の傾斜部５９に弾力的に当接させて、プレシーブ連動板２５が下降するのを規制し、プレシーブ連動板２５の下降を規制することによりプレシーブ２０を「閉状態」に保持する（図６）。
したがって、特別な工具を用いることなく、固定具５８を緩めてプレシーブストッパ４５を下げると、プレシーブ連動板２５はバネ２６の弾力で下降し、この状態でプレシーブストッパ４５を固定すると、プレシーブ２０は少し開いた状態で保持され、容易に調節できる。
なお、プレシーブ２０をチャフシーブ３０に連動させるために設けたチャフ連動板３４の当接板４１はプレシーブ連動板２５の傾斜部５９に後方から当接させ、確実にプレシーブ連動板２５を前方に押すようにしている。
【００１４】
この場合、固定具５８とプレシーブストッパ４５の間にはサラバネ６０を設けると、サラバネ６０がプレシーブストッパ４５を押し付けているので、スムーズ且つぶれず（振れず）にスライドし、好適である（図８）。
即ち、固定具５８とプレシーブストッパ４５の間にサラバネ６０が設けられているので、サラバネ６０がプレシーブストッパ４５を押し付ける「弾性押し付け力」より強い力をプレシーブストッパ４５に与えると、プレシーブストッパ４５は簡単に上下し、特別な工具を用いることなく、プレシーブストッパ４５を入り切りできる。
また、プレシーブストッパ４５は、ワイヤホルダ４４の上端とプレシーブ連動板２５の下縁との間に位置して（図６）、プレシーブ連動板２５の下降を規制するように構成する。
プレシーブストッパ４５は、ワイヤホルダ４４の上端とプレシーブ連動板２５の下縁との間に挟まれて位置しているので、工具不要で容易に操作可能である。
【００１５】
また、プレシーブ２０のバネ２６は、プレシーブストッパ４５の規制を解除する方向に付勢するように構成すると、プレシーブストッパ４５の規制解除操作をバネ２６の弾力が補助させることができ、プレシーブストッパ４５の操作を容易にできて、好適である。
即ち、プレシーブ連動板２５はプレシーブ２０を「開」にするとき後方移動しながら下降し、プレシーブストッパ４５の規制を解除する方向に移動するから、プレシーブ２０のバネ２６はプレシーブ連動板２５を後方移動するように付勢すると、プレシーブストッパ４５の規制解除操作をバネ２６の弾力が補助させることができ、プレシーブストッパ４５の操作を容易にできる。
【００１６】
しかして、図１０は、プレシーブストッパ４５の他の実施例であり、当接板部５５の内端に屈曲係合部６２を形成し、屈曲係合部６２に縦板部５６を連設するように形成し、ワイヤホルダ４４には前記屈曲係合部６２が係合する係合孔６３を上下に複数形成する。
プレシーブ２０の傾斜角度を有段にすることで、種々の条件にも対応可能となり、より精度の高い刈取作業が可能となる。
即ち、プレシーブ２０の開き幅が調節可能となる。
【００１７】
しかして、図１１〜図１３は、プレシーブストッパ４５の他の実施例であり、前記当接板部５５Ａは左右方向（プレシーブ２０と平行）の縦板により形成し、プレシーブ連動板２５の傾斜部５９に当て、当接板部５５Ａの側縁にＬ型状に前記縦板部５６Ａを形成し、縦板部５６Ａには係合突起６４を設け、係合突起６４はワイヤホルダ４４の係合孔６５に継脱自在に係合するように構成する。
プレシーブストッパ４５は、縦板部５６Ａを軸６６によりワイヤホルダ４４に回動自在に取付け、係合突起６４をワイヤホルダ４４の係合孔６５に継脱させて入り切りする。６７は係合突起６４を係合孔６５に係合するように付勢するバネである。
このプレシーブストッパ４５は、係合突起６４とワイヤホルダ４４の係合孔６５との継脱により、プレシーブ２０の「規制」の入り切り操作するので、工具無しで行え、頗る容易な操作切替機構に構成できる。
【００１８】
しかして、図１４〜図１６は、プレシーブストッパ４５の他の実施例であり、前記当接板部５５は左右方向（プレシーブ２０と平行）の縦板により形成し、プレシーブ連動板２５の傾斜部５９に当て、当接板部５５の側縁にＬ型状に前記縦板部５６を形成する。縦板部５６は軸６６によりワイヤホルダ４４に回動自在に取付ける。このプレシーブストッパ４５は軸６６中心に回転させて入り切りを行う（図１５）。
したがって、プレシーブストッパ４５は軸６６中心に回転操作によりプレシーブ２０の「規制」の入り切り操作するので、工具無しで行え、頗る容易な操作切替機構に構成できる。
【００１９】
しかして、図１７〜図１８は、プレシーブストッパ４５の他の実施例であり、プレシーブストッパ４５は軸６６によりワイヤホルダ４４に回動自在に取付けると共に、縦板部５６には係合突起６４を設け、係合突起６４はワイヤホルダ４４の係合孔６５に継脱自在に係合するようにし、バネ６７によりプレシーブストッパ４５を軸６６の軸心を固定方向に移動するように付勢構成する。
また、プレシーブストッパ４５が規制するときの回動方向はプレシーブ２０が閉方向に移動するときのプレシーブ連動板２５の移動方向に合致させる。
したがって、プレシーブストッパ４５は軸６６中心に回転操作によりプレシーブ２０の「規制」の入り切り操作し、係合突起６４と係合孔６５によりプレシーブストッパ４５を保持するので、工具無しで行え、頗る容易な操作切替機構に構成できる。
【００２０】
しかして、図１９〜図２０は、プレシーブストッパ４５の他の実施例であり、前記当接板部５５は左右方向（プレシーブ２０と平行）の縦板により形成し、プレシーブ連動板２５の傾斜部５９に当て、当接板部５５の側縁にＬ型状に前記縦板部５６を形成する。縦板部５６は軸６６によりワイヤホルダ４４に回動自在に取付ける。このプレシーブストッパ４５は軸６６中心に回転させて入り切りを行い、ワイヤホルダ４４の回動方向はプレシーブ２０が閉方向に移動するときのプレシーブ連動板２５の移動方向に合致させる。
したがって、プレシーブストッパ４５は軸６６中心に回転操作によりプレシーブ２０の「規制」の入り切り操作するので、工具無しで行え、頗る容易な操作切替機構に構成できる。
【００２１】
また、図１３、図１５、図１７、図１９、図２１の実施例では、縦板部５６の反当接板部５５側の角または上面は円弧面７０に形成し、ワイヤホルダ４４の回動方向はプレシーブ２０が閉方向に移動するときのプレシーブ連動板２５の移動方向に合致させると、プレシーブストッパ４５の回転を容易に行え、好適である。
即ち、円弧面７０の部分でプレシーブストッパ４５がプレシーブ連動板２５を押し上げることになり、操作を容易に行える。
【００２２】
また、前記揺動選別棚１６の一方の側板４７の側面にはチャフシーブ３０の開き方向の操作手段の操作伝達用ワイヤ３７のワイヤホルダ４４を（図５）、チャフシーブ３０のチャフ連動板３４の前方に設け、反対側の揺動選別棚１６の側板４７には前記プレシーブ２０のバネ２６を設けると（図４）、構成物を揺動選別棚１６の両側面に分けて構成することで、側面視重複しても、干渉することはなく、混雑が無いすっきりとした構成にでき、好適である。
【００２３】
しかして、前記揺動選別棚１６は任意の構成で前後に往復揺動し、脱穀装置３の側板５０には揺動選別棚１６の揺動を案内する案内レール７２を設け、前記プレシーブ２０およびチャフシーブ３０を開き方向に付勢するバネ２６およびバネ３６は前記案内レール７２の下方に設ける（図２３、図２４）。
案内レール７２の下方に設けることで、狭いスペースを有効利用して揺動選別棚１６を脱着するときに、作業を容易にする。特に、揺動選別棚１６の後部を着脱するとき、有効である。
７３は揺動選別棚１６の両側の側板４７に設けた案内部材である。
【００２４】
しかして、前記ワイヤホルダ４４とプレシーブストッパ４５に対応した位置の脱穀装置３の脱穀側板５０に設けた開口部５１は、脱穀装置３の左側（穀稈供給装置１２）に開口するように構成すると（図２）、開口部５１からのプレシーブストッパ４５の操作が可能となって、メンテナンス性を向上させることができる。
【００２５】
また、プレシーブ２０およびチャフシーブ３０を開き方向に付勢するバネ２６およびバネ３６は前記案内レール７２の下方に設け、チャフシーブ３０の操作伝達用ワイヤ３７は揺動選別棚１６の左側の側板４７に設け（図２４）、開口部５１から調節可能とすると共に、前記操作伝達用ワイヤ３７のワイヤホルダ４４および案内レール７２は揺動選別棚１６の側板４７の上下幅内に納まるように配置構成すると、揺動選別棚１６の脱着が容易になって、メンテナンス性が向上する。
即ち、ワイヤホルダ４４およびプレシーブストッパ４５のある揺動選別棚１６の左側を開放する位置に、脱穀装置３の脱穀側板５０に設けた開口部５１を開口させているので、開口部５１からプレシーブストッパ４５によりプレシーブ２０の開き具合を調節することができ、操作伝達用ワイヤ３７と当接板４１によりチャフシーブ３０と連動するプレシーブ２０でありながら、プレシーブ２０を独立調節可能となる。
【００２６】
また、プレシーブ２０は、前記案内レール７２より下方に設けると、プレシーブ２０上を均一に処理物が通過するので、プレシーブ２０を有効に利用でき、精度の良い選別が可能となる。
また、プレシーブ２０とチャフシーブ３０とは、チャフシーブ３０のピッチを広くして、前側のプレシーブ２０のピッチを狭くすると、精度の良い選別が可能となって、好適である。
前記チャフシーブ３０の終端側の揺動選別棚１６には藁屑を移送し得るストローラック７５を左右方向に並設する（図４）。前記チャフシーブ３０の下方の揺動選別棚１６には選別網７６を設け、選別網７６より始端側の揺動選別棚１６には底板７７を設けている。
前記選別網７６の下方には一番受樋７８を設け、一番受樋７８内に一番コンベア７９を設ける。また、一番受樋７８の終端側には二番受樋８０を設け、二番受樋８０内には二番コンベア８１を設ける。
【００２７】
二番受樋８０の前側部分には平板状の一番棚８２を後側が低く前側を高く傾斜させて設け、一番棚８２の先端には折り畳み部８３を回動自在に設ける。折り畳み部８３は一番棚８２の先端縁に設けた横軸８４を中心に回動自在に取付ける。
即ち、作物のでき具合や選別の状態に応じて折り畳み部８３を出し入れし、例えば、揺動選別棚１６からの落下量が多いときは、折り畳み部８３を延長して二番受樋８０への取り込み量を少なくして、二番処理に費やす脱穀負荷を軽減し、揺動選別棚１６からの落下量が少ないときは、二番受樋８０への取り込み量を多くして脱穀効率を向上させる。
また、折り畳み部８３は、延長して二番受樋８０への取り込み量を少なくして、二番コンベア二番コンベア８１の詰まりを防止する効果も期待できる。
８４Ａはリンク、８４Ｂは操作ワイヤーである。
【００２８】
しかして、前記一番棚８２の折り畳み部８３は、チャフシーブ３０と連動するように構成する（図２７、図２８）。
チャフシーブ３０のアーム３５にロッド８５の一端を軸着し、ロッド８５の他端はベルクランク８６の一端に軸着し、ベルクランク８６の他端は折り畳み部８３に接続し、操作伝達用ワイヤ３７によりチャフシーブ３０のアーム３５を操作すると、折り畳み部８３も連動する。
自動でチャフシーブ３０および折り畳み部８３の開きが調節されるので、精度の高い作業が可能となる。
この場合、操作伝達用ワイヤ３７は複数設け（図２９）、一方はレバー８８に接続し、他方はモータ（図示省略）に接続し、操縦部６には自動入り切りスイッチ（図示省略）を設け、自動入り切りスイッチを入りにすると、所定位置に設けた流量センサ９０により自動でチャフシーブ３０および折り畳み部８３の開きを調節し、自動入り切りスイッチを切ると、レバー８８により手動調節可能となる。
したがって、自動調節では容易に精度の高い作業となり、手動では一層、きめ細かい作業が可能となる。
【００２９】
この場合、モータは、走行装置２の走行速度と連動するように構成し、例えば、所定速度以下の低速走行のときには、プレシーブ２０およびチャフシーブ３０を全閉とし、前記所定速度を越えると、自動および手動によりプレシーブ２０およびチャフシーブ３０の開度を調節する。
したがって、操作性を向上させる。
９１は、走行装置２の走行速度を操作する主変速レバー８９の位置を検出するスイッチである。
図中、９２は風選室１５の終端側に設けた塵埃や藁屑を吸引する吸引排塵ファン、９３は排塵物を処理する排塵処理胴、９４は二番コンベア８１から戻す二番戻し装置、９５は戻された二番物を処理する二番処理胴であり、前記排塵処理胴９３と二番処理胴９５は同一軸心上に配置し（図２）、排塵処理胴９３は揺動選別装置１７の揺動方向の終端側に処理物を移送するが、二番処理胴９５は反対の始端側に処理物を移送するように構成する。９６は排藁搬送装置、９７はカッタである。
【００３０】
次に実施例の構成の作用を述べる。
機体を走行装置２により走行させると、刈取部４により穀稈を刈取り、刈取った穀稈は脱穀室８に供給され、脱穀室８内の回転する扱胴７により脱穀され、扱網９より落下した落下物は揺動選別装置１７の移送棚部１９に落下し、落下物のうちの穀粒は各プレシーブ２０の隙間から選別網７６を通って一番受樋７８に落下し、異物は送風唐箕１０の送風により排出側に移動する。
プレシーブ２０から落下しない落下物は揺動選別棚１６の揺動により終端側に移動し、チャフシーブ３０の揺動と送風唐箕１０の送風により選別され、穀粒は各チャフシーブ３０の隙間から選別網７６を通って一番受樋７８に落下し、異物は送風唐箕１０の送風により排出側に移動する。
また、チャフシーブ３０上に至った落下物は、揺動選別装置１７の揺動と送風唐箕１０の送風により穀粒と藁屑等とに分離され、穀粒はチャフシーブ３０より落下し、藁屑は排出側に移動し、風選室１５の終端側では、塵埃や藁屑を吸引排塵ファン９２により吸引排除され、吸引排塵ファン９２により吸引されない藁屑はストローラック７５上に至り、ストローラック７５より落下しない藁屑等は機外に排出され、ストローラック７５の揺動を受けて落下した穀粒は、二番コンベア８１により回収され、二番処装置に戻して処理され、再び風選室１５に供給されて風選処理される。
【００３１】
各プレシーブ２０および各チャフシーブ３０は連動して傾斜角度変更自在に構成し、各プレシーブ２０は単独で全閉状態に規制可能に構成しているから、一例を示すと、通常は、プレシーブ２０とチャフシーブ３０を連動させて「閉」とし、各プレシーブ２０と各チャフシーブ３０の隙間から異物が落ちるのを抑制して脱穀精度を向上させ、脱穀量が多くなると、プレシーブ２０とチャフシーブ３０を連動させて「開」方向とし、各プレシーブ２０と各チャフシーブ３０の隙間を大きくして落下量を増加させて選別の負荷を減少させて脱穀効率を向上させ、更に、脱穀量が多くなると、各プレシーブ２０をプレシーブストッパ４５によりチャフシーブ３０に対して独立させて全閉状態に規制するので、揺動選別棚１６の始端側における異物の落下を抑制して脱穀精度を向上させつつ、チャフシーブ３０を開いて落下量を増加させて選別の負荷を減少させて脱穀効率を向上させる。
【図面の簡単な説明】
【００３２】
【図１】コンバインの側面図。
【図２】脱穀装置の縦断左面図。
【図３】脱穀装置の縦断右側面図。
【図４】揺動選別装置の左側面図。
【図５】揺動選別装置の右側面図。
【図６】プレシーブ部分の側面図。
【図７】チャフシーブ部分の側面図。
【図８】プレシーブストッパの背面図。
【図９】プレシーブストッパを取り外した側面図。
【図１０】プレシーブストッパの正面図。
【図１１】プレシーブストッパの他の実施例の斜視図。
【図１２】同背面図。
【図１３】同側面図。
【図１４】プレシーブストッパの他の実施例の斜視図。
【図１５】同側面図。
【図１６】同背面図。
【図１７】プレシーブストッパの他の実施例の側面図。
【図１８】同背面図。
【図１９】プレシーブストッパの他の実施例の側面図。
【図２０】同背面図。
【図２１】プレシーブストッパの他の実施例の側面図。
【図２２】脱穀装置の正面図。
【図２３】脱穀装置の正面図。
【図２４】揺動選別棚の平面図。
【図２５】同側面図。
【図２６】脱穀装置の側面図。
【図２７】揺動選別棚の平面図。
【図２８】一番棚の折り畳み部の作動機構側面図。
【図２９】脱穀装置の側面図。
【図３０】主変速レバーの側面図。
【符号の説明】
【００３３】
１…機体フレーム、２…走行装置、３…脱穀装置、４…刈取部、５…グレンタンク、６…操縦部、８…脱穀室、９…扱網、１０…送風唐箕、１１…唐箕ケーシング、１２…穀稈供給装置、１５…風選室、１６…揺動選別棚、１７…揺動選別装置、１８…移送突起、２０…プレシーブ、２１…軸、２２…プレシーブ取付部、２３…横軸、２４…長孔、２５…プレシーブ連動板、２６…バネ、３０…チャフシーブ、３１…軸、３２…横軸、３３…長孔、３４…チャフ連動板、３５…アーム、３７…操作伝達用ワイヤ３７、３６…バネ、４４…ワイヤホルダ、４５…プレシーブストッパ、４７…側板、５０…脱穀側板、５１…開口部、５２…蓋、５５…当接板部、５６…縦板部、５８…固定具、５７…長孔、６０…サラバネ、６２…屈曲係合部、６３…係合孔、６４…係合突起、６５…係合孔、６７…バネ、６６…軸、７０…円弧面、７２…案内レール、７５…ストローラック、７６…選別網、７７…底板、７８…一番受樋、７９…一番コンベア、８０…二番受樋、８１…二番コンベア、８２…一番棚、８３…折り畳み部、８４…横軸、８５…ロッド、８６…ベルクランク、８８…レバー、９２…吸引排塵ファン、９３…排塵処理胴、９４…二番戻し装置、９５…二番処理胴。
【図１】
2007244312.tif 000003
【図２】
2007244312.tif 000004
【図３】
2007244312.tif 000005
【図４】
2007244312.tif 000006
【図５】
2007244312.tif 000007
【図６】
2007244312.tif 000008
【図７】
2007244312.tif 000009
【図８】
2007244312.tif 000010
【図９】
2007244312.tif 000011
【図１０】
2007244312.tif 000012
【図１１】
2007244312.tif 000013
【図１２】
2007244312.tif 000014
【図１３】
2007244312.tif 000015
【図１４】
2007244312.tif 000016
【図１５】
2007244312.tif 000017
【図１６】
2007244312.tif 000018
【図１７】
2007244312.tif 000019
【図１８】
2007244312.tif 000020
【図１９】
2007244312.tif 000021
【図２０】
2007244312.tif 000022
【図２１】
2007244312.tif 000023
【図２２】
2007244312.tif 000024
【図２３】
2007244312.tif 000025
【図２４】
2007244312.tif 000026
【図２５】
2007244312.tif 000027
【図２６】
2007244312.tif 000028
【図２７】
2007244312.tif 000029
【図２８】
2007244312.tif 000030
【図２９】
2007244312.tif 000031
【図３０】
2007244312.tif 000032